(57)【要約】【課題】本構成を有さない場合に比べ、画像読取時の消費電力を抑制しながら定型原稿以外の原稿に記録されている画像の読み取り残しの発生を抑制する、画像読取装置、画像読取記録装置、及びプログラムを提供する。【解決手段】画像読取部１２がプラテンガラスに置かれた原稿に記録されている画像を読み取る場合、ＣＰＵ７０により、予め定められた基準位置に合わせてプラテンガラスに置かれた原稿が大きさの異なる複数の定型原稿のうちの何れであるかを推定し、推定した定型原稿の大きさよりも広く、かつ光照射装置による光の最大照射可能領域よりも狭い照射領域に光が照射されるように光照射装置を制御する。【選択図】図４
2010187190.tif 000002
【特許請求の範囲】
【請求項１】
透光性を有し、原稿が置かれる原稿台と、
前記原稿台に置かれた原稿に対して前記原稿台を通して光を照射すると共に、照射領域が調整可能な照射手段と、
前記照射手段により前記原稿に対して光を照射した際の原稿からの反射光を受光することにより前記原稿に記録されている画像を読み取る読取手段と、
予め定められた基準位置に合わせて前記原稿台に置かれた原稿が、大きさの異なる複数の定型原稿のうちの何れであるかを推定する推定手段と、
前記読取手段が前記原稿台に置かれた原稿に記録されている画像を読み取る場合、前記推定手段により推定された定型原稿の大きさよりも広く、かつ前記照射手段による光の最大照射可能領域よりも狭い照射領域に光が照射されるように前記照射手段を制御する制御手段と、
を含む画像読取装置。
【請求項２】
前記照射手段は、副走査方向に移動可能であり、かつ、主走査方向に並設された複数の光源からなり、
前記制御手段は、前記光源の点灯個数を制御することにより前記照射領域に光が照射されるように制御する請求項１記載の画像読取装置。
【請求項３】
透光性を有し、原稿が置かれる原稿台と、
前記原稿台に置かれた原稿に対して前記原稿台を通して光を照射すると共に、照射領域が調整可能な照射手段と、
前記照射手段により前記原稿に対して光を照射した際の原稿からの反射光を受光することにより前記原稿に記録されている画像を読み取る読取手段と、
予め定められた基準位置に合わせて前記原稿台に置かれた原稿が、大きさの異なる複数の定型原稿のうちの何れであるかを推定する推定手段と、
前記原稿台を遮蔽すると共に、遮蔽された状態で前記照射手段からの照射光を反射する遮蔽部材と、
前記読取手段によって読み取られた画像を記録する記録媒体の大きさを示す大きさ情報を取得する取得手段と、
前記取得手段が前記大きさ情報を取得している状態で、前記読取手段が前記原稿台に置かれた原稿に記録されている画像を読み取り、読み取られた画像が縮小されずに記録媒体に記録される場合には、原稿が置かれた前記原稿台が前記遮蔽部材によって遮蔽された状態で、前記取得手段により取得された大きさ情報により示される記録媒体の大きさに対応する領域を含む領域に光が照射されるように前記照射手段を制御し、前記取得手段が前記大きさ情報を取得していない状態で、前記読取手段が前記原稿台に置かれた原稿に記録されている画像を読み取る場合には、前記推定手段により推定された定型原稿の大きさよりも広く、かつ前記照射手段による光の最大照射可能領域よりも狭い照射領域に光が照射されるように前記照射手段を制御する制御手段と、
を含む画像読取記録装置。
【請求項４】
前記取得手段の取得結果に基づく前記照射手段の制御よりも前記推定手段の推定結果に基づく前記照射手段の制御を優先することを示す優先情報を受け付ける受付手段を更に含み、
前記制御手段は、前記受付手段によって前記優先情報が受け付けられた場合であって、かつ、前記読取手段が前記原稿台に置かれた原稿に記録されている画像を読み取る場合には、前記取得手段が前記大きさ情報を取得しているか否かに拘らず、前記推定手段により推定された定型原稿の大きさよりも広く、かつ前記照射手段による光の最大照射可能領域よりも狭い照射領域に光が照射されるように前記照射手段を制御する請求項３記載の画像読取記録装置。
【請求項５】
コンピュータを、
透光性を有し、原稿が置かれる原稿台に予め定められた基準位置に合わせて置かれた原稿が、大きさの異なる複数の定型原稿のうちの何れであるかを推定する推定手段、及び前記原稿台に置かれた原稿に対して前記原稿台を通して光を照射すると共に、照射領域が調整可能な照射手段により前記原稿に対して光を照射した際の原稿からの反射光を受光することにより前記原稿に記録されている画像を読み取る読取手段が前記原稿台に置かれた原稿に記録されている画像を読み取る場合、前記推定手段により推定された定型原稿の大きさよりも広く、かつ前記照射手段による光の最大照射可能領域よりも狭い照射領域に光が照射されるように前記照射手段を制御する制御手段として機能させるためのプログラム。
【請求項６】
コンピュータを、請求項２に記載の画像読取装置を構成する制御手段として機能させるためのプログラム。
【請求項７】
コンピュータを、
透光性を有し、原稿が置かれる原稿台に予め定められた基準位置に合わせて置かれた原稿が、大きさの異なる複数の定型原稿のうちの何れであるかを推定する推定手段、前記原稿台に置かれた原稿に対して前記原稿台を通して光を照射すると共に、照射領域が調整可能な照射手段により前記原稿に対して光を照射した際の原稿からの反射光を受光することにより前記原稿に記録されている画像を読み取る読取手段によって読み取られた画像を記録する記録媒体の大きさを示す大きさ情報を取得する取得手段、及び前記取得手段が前記大きさ情報を取得している状態で、前記読取手段が前記原稿台に置かれた原稿に記録されている画像を読み取り、読み取られた画像が縮小されずに記録媒体に記録される場合には、原稿が置かれた前記原稿台が当該原稿台を遮蔽すると共に、遮蔽された状態で前記照射手段からの照射光を反射する遮蔽部材によって遮蔽された状態で、前記取得手段により取得された大きさ情報により示される記録媒体の大きさに対応する領域を含む領域に光が照射されるように前記照射手段を制御し、前記取得手段が前記大きさ情報を取得していない状態で、前記読取手段が前記原稿台に置かれた原稿に記録されている画像を読み取る場合には、前記推定手段により推定された定型原稿の大きさよりも広く、かつ前記照射手段による光の最大照射可能領域よりも狭い照射領域に光が照射されるように前記照射手段を制御する制御手段として機能させるためのプログラム。
【請求項８】
コンピュータを、請求項４に記載の画像読取記録装置を構成する受付手段及び制御手段として機能させるためのプログラム。
【発明の詳細な説明】
【技術分野】
【０００１】
本発明は、画像読取装置、画像読取装置、及びプログラムに関する。
【背景技術】
【０００２】
特許文献１には、原稿を載置する原稿台と、原稿台に載置された原稿に光を照射する光源と、照射された原稿からの反射光を画像信号に変換する変換素子と、原稿台のうち原稿が載置されていない部分を判別する判別手段と、光源を原稿が載置されていない部分に対応して消灯する消灯手段と、を備えた原稿読取装置が開示されている。
【先行技術文献】
【特許文献】
【０００３】
【特許文献１】特開２００５−３５４２０５号公報
【発明の概要】
【発明が解決しようとする課題】
【０００４】
本発明の課題は、本構成を有さない場合に比べ、画像読取時の消費電力を抑制しながら定型原稿以外の原稿に記録されている画像の読み取り残しの発生を抑制する、画像読取装置、画像読取記録装置、及びプログラムを提供することである。
【課題を解決するための手段】
【０００５】
上記目的を達成するために、請求項１に記載の画像読取装置は、透光性を有し、原稿が置かれる原稿台と、前記原稿台に置かれた原稿に対して前記原稿台を通して光を照射すると共に、照射領域が調整可能な照射手段と、前記照射手段により前記原稿に対して光を照射した際の原稿からの反射光を受光することにより前記原稿に記録されている画像を読み取る読取手段と、予め定められた基準位置に合わせて前記原稿台に置かれた原稿が、大きさの異なる複数の定型原稿のうちの何れであるかを推定する推定手段と、前記読取手段が前記原稿台に置かれた原稿に記録されている画像を読み取る場合、前記推定手段により推定された定型原稿の大きさよりも広く、かつ前記照射手段による光の最大照射可能領域よりも狭い照射領域に光が照射されるように前記照射手段を制御する制御手段と、を含んで構成されている。
【０００６】
また、請求項２に記載の画像読取装置は、請求項１に記載の発明において、前記照射手段が、副走査方向に移動可能であり、かつ、主走査方向に並設された複数の光源からなり、前記制御手段が、前記光源の点灯個数を制御することにより前記照射領域に光が照射されるように制御するものである。
【０００７】
一方、上記目的を達成するために、請求項３に記載の画像読取記録装置は、透光性を有し、原稿が置かれる原稿台と、前記原稿台に置かれた原稿に対して前記原稿台を通して光を照射すると共に、照射領域が調整可能な照射手段と、前記照射手段により前記原稿に対して光を照射した際の原稿からの反射光を受光することにより前記原稿に記録されている画像を読み取る読取手段と、予め定められた基準位置に合わせて前記原稿台に置かれた原稿が、大きさの異なる複数の定型原稿のうちの何れであるかを推定する推定手段と、前記原稿台を遮蔽すると共に、遮蔽された状態で前記照射手段からの照射光を反射する遮蔽部材と、前記読取手段によって読み取られた画像を記録する記録媒体の大きさを示す大きさ情報を取得する取得手段と、前記取得手段が前記大きさ情報を取得している状態で、前記読取手段が前記原稿台に置かれた原稿に記録されている画像を読み取り、読み取られた画像が縮小されずに記録媒体に記録される場合には、原稿が置かれた前記原稿台が前記遮蔽部材によって遮蔽された状態で、前記取得手段により取得された大きさ情報により示される記録媒体の大きさに対応する領域を含む領域に光が照射されるように前記照射手段を制御し、前記取得手段が前記大きさ情報を取得していない状態で、前記読取手段が前記原稿台に置かれた原稿に記録されている画像を読み取る場合には、前記推定手段により推定された定型原稿の大きさよりも広く、かつ前記照射手段による光の最大照射可能領域よりも狭い照射領域に光が照射されるように前記照射手段を制御する制御手段と、を含んで構成されている。
【０００８】
また、請求項４に記載の画像読取記録装置は、請求項３に記載の発明において、前記取得手段の取得結果に基づく前記照射手段の制御よりも前記推定手段の推定結果に基づく前記照射手段の制御を優先することを示す優先情報を受け付ける受付手段を更に含み、前記制御手段が、前記受付手段によって前記優先情報が受け付けられた場合であって、かつ、前記読取手段が前記原稿台に置かれた原稿に記録されている画像を読み取る場合には、前記取得手段が前記大きさ情報を取得しているか否かに拘らず、前記推定手段により推定された定型原稿の大きさよりも広く、かつ前記照射手段による光の最大照射可能領域よりも狭い照射領域に光が照射されるように前記照射手段を制御するものである。
【０００９】
一方、上記目的を達成するために、請求項５に記載のプログラムは、コンピュータを、透光性を有し、原稿が置かれる原稿台に予め定められた基準位置に合わせて置かれた原稿が、大きさの異なる複数の定型原稿のうちの何れであるかを推定する推定手段、及び前記原稿台に置かれた原稿に対して前記原稿台を通して光を照射すると共に、照射領域が調整可能な照射手段により前記原稿に対して光を照射した際の原稿からの反射光を受光することにより前記原稿に記録されている画像を読み取る読取手段が前記原稿台に置かれた原稿に記録されている画像を読み取る場合、前記推定手段により推定された定型原稿の大きさよりも広く、かつ前記照射手段による光の最大照射可能領域よりも狭い照射領域に光が照射されるように前記照射手段を制御する制御手段として機能させるためのものである。
【００１０】
また、請求項６に記載のプログラムは、コンピュータを、請求項２に記載の画像読取装置を構成する制御手段として機能させるためのものである。
【００１１】
一方、上記目的を達成するために、請求項７に記載のプログラムは、コンピュータを、透光性を有し、原稿が置かれる原稿台に予め定められた基準位置に合わせて置かれた原稿が、大きさの異なる複数の定型原稿のうちの何れであるかを推定する推定手段、前記原稿台に置かれた原稿に対して前記原稿台を通して光を照射すると共に、照射領域が調整可能な照射手段により前記原稿に対して光を照射した際の原稿からの反射光を受光することにより前記原稿に記録されている画像を読み取る読取手段によって読み取られた画像を記録する記録媒体の大きさを示す大きさ情報を取得する取得手段、及び前記取得手段が前記大きさ情報を取得している状態で、前記読取手段が前記原稿台に置かれた原稿に記録されている画像を読み取り、読み取られた画像が縮小されずに記録媒体に記録される場合には、原稿が置かれた前記原稿台が当該原稿台を遮蔽すると共に、遮蔽された状態で前記照射手段からの照射光を反射する遮蔽部材によって遮蔽された状態で、前記取得手段により取得された大きさ情報により示される記録媒体の大きさに対応する領域を含む領域に光が照射されるように前記照射手段を制御し、前記取得手段が前記大きさ情報を取得していない状態で、前記読取手段が前記原稿台に置かれた原稿に記録されている画像を読み取る場合には、前記推定手段により推定された定型原稿の大きさよりも広く、かつ前記照射手段による光の最大照射可能領域よりも狭い照射領域に光が照射されるように前記照射手段を制御する制御手段として機能させるためのものである。
【００１２】
また、請求項８に記載のプログラムは、コンピュータを、請求項４に記載の画像読取記録装置を構成する受付手段及び制御手段として機能させるためのものである。
【発明の効果】
【００１３】
請求項１及び請求項５に係る発明によれば、本構成を有さない場合に比べ、画像読取時の消費電力を抑制しながら定型原稿以外の原稿に記録されている画像の読み取り残しの発生を抑制する、という効果が得られる。
【００１４】
請求項２及び請求項６に係る発明によれば、照射手段が複数の光源で構成されていない場合に比べ、光の照射領域の変更が容易に行える、という効果が得られる。
【００１５】
請求項３及び請求項７に係る発明によれば、本構成を有さない場合に比べ、画像読取時の消費電力を抑制しながら定型原稿以外の原稿に記録されている画像の読み取り残しの発生を抑制すると共に、原稿領域外を記録媒体に黒く記録させ難くする、という効果が得られる。
【００１６】
請求項４及び請求項８に係る発明によれば、本構成を有さない場合に比べ、ユーザの利便性が向上する、という効果が得られる。
【図面の簡単な説明】
【００１７】
【図１】実施形態に係る画像読取記録装置の外観を示す斜視図である。
【図２】実施形態に係る画像記録エンジン部の構成を模式的に示した断面図である。
【図３】実施形態に係る画像読取部の構成を示す図であり、（ａ）は、実施形態に係る画像読取部の斜視図であり、（ｂ）は、実施形態に係る画像読取部を模式的に示した断面図である。
【図４】実施形態に係る画像読取記録装置の電気系の要部構成を示すブロック図である。
【図５】実施形態に係る画像読取記録処理プログラムの処理の流れを示すフローチャートである。
【発明を実施するための形態】
【００１８】
以下、図面を参照して本発明の実施形態の一例を詳細に説明する。図１には本実施形態に係る画像読取記録装置１０が示されている。同図に示すように、画像読取記録装置１０は、原稿に記録されている画像を読み取る画像読取部１２と、画像読取部１２の下部に配置された画像記録部１４と、を備えている。画像記録部１４では、画像読取部１２で読み取られた画像を示す画像情報に基づいて画像記録が行われる。また、画像読取部１２上には、当該画像読取部１２の開閉蓋を兼用する原稿搬送装置１６が設けられている。原稿搬送装置１６は、ヒンジ部材（図示省略）を中心として画像読取部１２と接近又は離間する方向へ回転可能とされている。原稿搬送装置１６は、画像読取部１２の後述するプラテンガラス２２と対向する面が反射率の一様な白色面とされており、当該白色面でプラテンガラス２２が遮蔽され、原稿搬送装置１６が画像読取部１２と離間する方向へ回転されるとプラテンガラス２２が露出される。
【００１９】
原稿搬送装置１６には、複写しようとする原稿を（複数枚の場合は重ねて）載せる載せ台１８が設けられている。また、載せ台１８の下方には、載せ台１８から送り込まれて読み取られた原稿が排出される排紙受け２０が設けられている。ここで、原稿搬送装置１６及び画像読取部１２では、載せ台１８上に載せられた原稿（複数枚重ねられている場合は、その最上層の原稿）が、図示しない原稿反転ユニットへ送り込まれ、反転しながら画像読取部１２のプラテンガラス２２（図３（ａ）参照。）上の読取領域を通過し、排紙受け２０上に排出されることにより、原稿の読み取りが行われる。
【００２０】
画像記録部１４は、下部に３段に渡って配設された給紙箱２６と、給紙箱２６の上部に配置され画像記録を行う画像記録エンジン部１２０と、を備えている。また、画像読取部１２には、各種情報が表示される表示パネル、及びユーザが原稿読取、或いは複写指示等を入力操作するための操作部（テンキー、スタートボタン等）からなるユーザ・インタフェース２４が配設されている。ここで、画像読取部１２で記録用紙のサイズが指定されることで、選択的に給紙箱２６から記録用紙が給紙装置（図示省略）によって１枚ずつ引き出され、画像記録エンジン部１２０に搬送されるようになっている。
【００２１】
図２には、本実施形態に係る画像記録エンジン部１２０が示されている。同図に示すように、画像記録エンジン部１２０は、本体を構成する筐体１２２に露光装置１２４が固定されており、露光装置１２４に隣接する位置に、画像読取記録装置１０の各部の動作を制御する制御ユニット４２が設けられている。
【００２２】
露光装置１２４は、画像読取部１２で読み取られた画像を示す画像情報に基づいて、図示しない光源から出射された光ビームを回転多面鏡（ポリゴンミラー）で走査し、反射ミラー等の複数の光学部品で反射して、イエロー（Ｙ）、マゼンタ（Ｍ）、シアン（Ｃ）、及びブラック（Ｋ）の各トナーに対応した光ビーム１２６Ｙ，１２６Ｍ，１２６Ｃ，１２６Ｋを出射するようになっている。光ビーム１２６Ｙ，１２６Ｍ，１２６Ｃ，１２６Ｋは、それぞれ対応する各感光体１２８Ｙ，１２８Ｍ，１２８Ｃ，１２８Ｋに導かれる。
【００２３】
画像記録エンジン部１２０の下方側には、前述の給紙箱２６が配設されており、給紙箱２６の上方には、記録媒体としての記録用紙Ｐの先端部位置を調整する一対の位置合わせロール１２９が設けられている。また、画像記録エンジン部１２０の中央には、画像記録ユニット１３０が設けられている。画像記録ユニット１３０は、前述の４つの感光体１２８Ｙ，１２８Ｍ，１２８Ｃ，１２８Ｋを備えており、これらが上下一列に並んでいる。
【００２４】
感光体１２８Ｙ，１２８Ｍ，１２８Ｃ，１２８Ｋの回転方向上流側には、感光体１２８Ｙ，１２８Ｍ，１２８Ｃ，１２８Ｋの表面を帯電する帯電ローラ１３２Ｙ，１３２Ｍ，１３２Ｃ，１３２Ｋが設けられている。また、感光体１２８Ｙ，１２８Ｍ，１２８Ｃ，１２８Ｋの回転方向下流側には、Ｙ，Ｍ，Ｃ，Ｋの各トナーをそれぞれ感光体１２８Ｙ，１２８Ｍ，１２８Ｃ，１２８Ｋに現像する現像器１３４Ｙ，１３４Ｍ，１３４Ｃ，１３４Ｋが設けられている。
【００２５】
一方、感光体１２８Ｙ，１２８Ｍには第１中間転写体１３６が接触し、感光体１２８Ｃ，１２８Ｋには第２中間転写体１３８が接触している。そして、第１中間転写体１３６及び第２中間転写体１３８には第３中間転写体１４０が接触している。第３中間転写体１４０と対向する位置には、転写ロール１４２が設けられている。転写ロール１４２は、第３中間転写体１４０との間に記録用紙Ｐが搬送されると、第３中間転写体１４０上のトナー像を記録用紙Ｐに転写させる。
【００２６】
記録用紙Ｐが搬送される用紙搬送路１４４の下流には、定着装置１４６が設けられている。定着装置１４６は、定着ロール１４８と加圧ロール１５０を有しており、記録用紙Ｐを加熱・加圧してトナー像を記録用紙Ｐに定着させる。トナー像が定着された記録用紙Ｐは、用紙搬送ロール１５２で画像形成部１２０の上部に設けられた排紙受け２８に排出される。
【００２７】
次に、画像記録エンジン部１２０の画像記録について説明する。
【００２８】
画像記録エンジン部１２０に対しての画像記録が指示されると、各感光体１２８Ｙ，１２８Ｍ，１２８Ｃ，１２８Ｋの表面が帯電ローラ１３２Ｙ，１３２Ｍ，１３２Ｃ，１３２Ｋによって一様に帯電される。露光装置１２４から出力画像に対応した光ビーム１２６Ｙ，１２６Ｍ，１２６Ｃ，１２６Ｋが、帯電後の感光体１２８Ｙ，１２８Ｍ，１２８Ｃ，１２８Ｋの表面に照射され、感光体１２８Ｙ，１２８Ｍ，１２８Ｃ，１２８Ｋの各表面に各色分解画像に応じた静電潜像が形成される。この静電潜像に対して、現像器１３４Ｙ，１３４Ｍ，１３４Ｃ，１３４Ｋが選択的に各色、すなわちＹ，Ｍ，Ｃ，Ｋのトナーを付与し、感光体１２８Ｙ，１２８Ｍ，１２８Ｃ，１２８Ｋ上にＹ，Ｍ，Ｃ，Ｋ色のトナー像が形成される。
【００２９】
その後、マゼンタ用の感光体１２８Ｍから第１中間転写体１３６にマゼンタのトナー像が一次転写される。また、イエロー用の感光体１２８Ｙから第１中間転写体１３６にイエローのトナー像が一次転写され、第１中間転写体１３６上で前記マゼンタのトナー像に重ね合わされる。
【００３０】
一方、同様にブラック用の感光体１２８Ｋから第２中間転写体１３８にブラックのトナー像が一次転写される。また、シアン用の感光体１２８Ｃから第２中間転写体１３８にシアンのトナー像が一次転写され、第２中間転写体１３８上で前記ブラックのトナー像に重ね合わされる。
【００３１】
第１中間転写体１３６へ一次転写されたマゼンタとイエローのトナー像は、第３中間転写体１４０へ二次転写される。一方、第２中間転写体１３８へ一次転写されたブラックとシアンのトナー像も、第３中間転写体１４０へ二次転写される。ここで、先に二次転写されているマゼンタ、イエローのトナー像と、シアン、ブラックのトナー像とが重ね合わされ、カラートナー像が第３中間転写体１４０上に形成される。
【００３２】
二次転写されたカラートナー像は、第３中間転写体１４０と転写ロール１４２との間のニップ部に達する。そのタイミングに同期して、位置合わせロール１２９から記録用紙Ｐが当該ニップ部分に搬送され、記録用紙Ｐ上にカラートナー像が三次転写（最終転写）される。
【００３３】
この記録用紙Ｐは、その後、定着装置１４６に送られ、定着ロール１４８と加圧ロール１５０とのニップ部を通過する。その際、定着ロール１４８と加圧ロール１５０とから与えられる熱と圧力との作用により、カラートナー像が記録用紙Ｐに定着される。定着後、記録用紙Ｐは用紙搬送ロール１５２により排紙受け２８に排出され、記録用紙Ｐへのカラー画像形成が終了する。
【００３４】
図３には、本実施形態に係る画像読取部１２が示されている。同図（ａ）及び（ｂ）に示すように、画像読取部１２の本体を構成するケース１３の上面には略矩形状の開口（本実施形態では、Ａ３サイズの原稿よりも大きな開口）が形成されており、当該開口に原稿３１が載置されるプラテンガラス２２が嵌め込まれている。なお、原稿搬送装置１６の載せ台１８を用いることができない製本原稿等を直接プラテンガラス２２に載せて複写する場合は、原稿搬送装置１６を上方へ開放することになる。また、本実施形態に係る画像読取部１２では、プラテンガラス２２として無色透明なガラス板を適用しているが、これに限らず、透光性を有する原稿台であればよい。
【００３５】
プラテンガラス２２の下部の装置内空間部には、原稿３１の読み取りを行う走査ユニット３２が配設されている。走査ユニット３２は、画像読取記録装置１０の正面から奥側に向かう方向を長手方向（主走査方向）として原稿３１に向けて発光する格子状に並べられた複数のＬＥＤ（Light Emitting Diode）３４ａから構成された光照射装置３４と、光照射装置３４により原稿３１に対して光を照射した際に原稿３１で反射された光Ｌを反射する複数のミラーからなる反射部３６と、反射部３６で反射された光Ｌを集光するレンズからなる集光部３８と、集光部３８で集光された光Ｌを受光（結像）して電気信号を出力するＣＣＤ（Charge Coupled Device)ラインセンサ４０と、を備えている。また、ＣＣＤラインセンサ４０は、画像読取記録装置１０の本体内に設けられた前述の制御ユニット４２に接続されている。なお、反射部３６で複数のミラーにより光Ｌを折り返すのは、ＣＣＤラインセンサ４０への結像に予め定められた光路長を必要とするためである。なお、本実施形態に係る光照射装置３４の走査範囲は、Ａ３サイズの原稿３１よりも広いものとされている。
【００３６】
ここで、走査ユニット３２が、主走査方向と直交する方向（副走査方向：矢印Ｘ）に移動することで、光照射装置３４からの光が、原稿３１に記録されている画像にライン状に照射される。続いて、原稿３１からの反射光が、反射部３６及び集光部３８を介してＣＣＤラインセンサ４０で受光される。ＣＣＤラインセンサ４０では、光電変換によって画像濃度に応じた電気信号を制御ユニット４２に出力する。そして、制御ユニット４２では、得られた電気信号に基づいて照射領域の画像濃度を検出する。このようにして、原稿３１の画像の読み取りが行われる。
【００３７】
一方、プラテンガラス２２の周囲には、略矩形状の枠からなる原稿セットガイド３０が設けられている。原稿セットガイド３０は、プラテンガラス２２より僅かな凸状の段差となっており、原稿セットガイド３０の段差に接するように原稿３１の角部を合わせることにより、容易に原稿３１の位置決めが行われる。原稿セットガイド３０の上面には、原稿セットガイド３０の角部に原稿３１の角部を合わせるときの目印となる位置合わせマーク（図示省略）と、当該位置合わせマークに角部を合わせて定型サイズ（本実施形態では、Ｂ５，Ａ４，Ｂ４，Ａ３）の原稿３１がプラテンガラス２２に載せられたときの原稿３１の端部の位置を示す原稿サイズラベル（図示省略）と、が設けられている。なお、以下では、定型サイズの原稿３１を「定型原稿」と称する。
【００３８】
原稿セットガイド３０の周囲で画像読取記録装置１０の奥側（図の上方）には、原稿搬送装置１６の底面側に設けられたヒンジ部材（図示省略）が固定される固定部４４Ａ、４４Ｂが設けられている。
【００３９】
図４は、本実施形態に係る画像読取記録装置１０の電気系の要部構成を示すブロック図である。同図に示すように、画像読取記録装置１０は、ＣＰＵ（中央処理装置）７０、ＲＯＭ（Read Only Memory）７２、ＲＡＭ（Random Access Memory）７４、ＮＶＭ（Non Volatile Memory)７６、及び外部インタフェース８０を含んで構成されている。なお、前述した制御ユニット４２は、ＣＰＵ７０、ＲＯＭ７２、ＲＡＭ７４、ＮＶＭ７６、及び外部インタフェース８０を含んで構成されている。
【００４０】
ＣＰＵ７０は、画像読取記録装置１０全体の動作を司るものである。ＲＯＭ７２は、画像読取記録装置１０の作動を制御する制御プログラム、後述する画像読取記録処理プログラムや各種パラメータ等を予め記憶する記憶手段として機能するものである。ＲＡＭ７４は、各種プログラムの実行時のワークエリア等として用いられるものである。ＮＶＭ７６は、装置の電源スイッチが切られても保持しなければならない各種情報を記憶するものである。外部インタフェース８０は、パーソナル・コンピュータ等の外部機器に接続され、外部機器との間で各種情報の送受信を行う。
【００４１】
ＣＰＵ７０、ＲＯＭ７２、ＲＡＭ７４、ＮＶＭ７６、及び外部インタフェース８０は、システムバスＢＵＳを介して相互に接続されている。従って、ＣＰＵ７０は、ＲＯＭ７２、ＲＡＭ７４、ＮＶＭ７６へのアクセスと、外部機器への外部インタフェース８０を介した各種情報の送信と、外部機器からの外部インタフェース８０を介した各種情報の受信と、を各々行う。
【００４２】
また、前述した画像読取部１２、原稿搬送装置１６、画像記録エンジン部１２０、及びユーザ・インタフェース２４もまた、システムＢＵＳに接続されている。従って、ＣＰＵ７０は、画像読取部１２の作動の制御と、画像読取部１２によって読み取られた画像を示す画像情報の取得と、原稿搬送装置１６の作動の制御と、画像記録エンジン部１２０の作動の制御と、ユーザ・インタフェース２４への各種情報の表示と、ユーザ・インタフェース２４に対するユーザの操作指示内容の把握と、を各々行う。
【００４３】
次に本実施形態の作用として、プラテンガラス２２の周縁部の位置合わせマークに角部を合わせると共に、原稿セットガイド３０の段差に接するように角部を合わせることにより予め定められた基準位置に原稿３１が置かれたプラテンガラス２２が原稿搬送装置１６によって遮蔽された状態で、ユーザ・インタフェース２４を介して原稿３１に記録されている画像の等倍複写が指示された際に、ＲＯＭ７２に予め記憶されている画像読取記録処理プログラムがＣＰＵ７０によって実行されることで実現される画像読取記録処理について、図５を参照して説明する。なお、図５は、画像読取記録処理プログラムの処理の流れを示すフローチャートである。また、ここでは、錯綜を回避するために、プラテンガラス２２に置かれた原稿３１が画像読取部１２及びＣＰＵ７０によってＢ５，Ａ４，Ｂ４，Ａ３の何れの定型原稿であるかが推定されるものとする。
【００４４】
同図のステップ２００では、画像記録エンジン部１２０によって画像が記録される予定の記録用紙Ｐの大きさ（ここでは、Ｂ５，Ａ４，Ｂ４，Ａ３）を示す大きさ情報がユーザ・インタフェースによって既に受け付けられているか否かを判定し、肯定判定となった場合にはステップ２０２及びステップ２０４の処理を実行せずにステップ２１４へ移行する一方、否定判定となった場合にはステップ２０２へ移行する。
【００４５】
ステップ２０２では、ユーザ・インタフェース２４の表示パネルに対して、画像が記録される予定の記録用紙Ｐの大きさの指定を促す画面を表示させ、ステップ２０４へ移行する。
【００４６】
ステップ２０４では、ユーザ・インタフェース２４を介して画像が記録される予定の記録用紙Ｐの大きさが指定されたか否かを判定し、肯定判定となった場合には、指定された記録用紙Ｐの大きさを示す大きさ情報を取得してステップ２１４へ移行する一方、否定判定となった場合にはステップ２０６へ移行する。
【００４７】
なお、本実施形態に係る画像読取記録装置１０では、ＣＰＵ７０がユーザ・インタフェース２４を介して受け付けられた記録用紙Ｐの大きさを示す大きさ情報を取得しているが、これに限らず、例えば、ＣＰＵ７０は、給紙箱２６から画像記録エンジン部１２０へ記録用紙Ｐを送る際に記録用紙Ｐの大きさをセンサで検知することにより得た大きさ情報を取得してもよい。このように、ＣＰＵ７０が画像記録される予定の記録用紙Ｐの大きさを示す大きさ情報を取得する形態は画像読取記録装置１０の仕様や用途に応じて変更してよい。
【００４８】
ステップ２０６では、上記ステップ２０４の処理を実行してから予め定められた時間（ここでは、１５秒）経過したか否かを判定し、否定判定となった場合にはステップ２０４へ戻る一方、肯定判定となった場合にはステップ２０８へ移行する。
【００４９】
ステップ２０８では、プラテンガラス２２に置かれた原稿３１の大きさがＢ５，Ａ４，Ｂ４，Ａ３の何れの定型原稿であるかの推定を開始し、次のステップ２１０にて、推定の終了待ちを行う。
【００５０】
次のステップ２１２では、光照射装置３４に対して、上記ステップ２０８で推定した定型原稿の大きさよりも一回り大きな領域への光の照射を開始させ、ステップ２１６へ移行する。なお、本実施形態に係る画像読取記録装置１０では、上記の「一回り大きな領域」として、上記ステップ２０８で推定した定型原稿と当該定型原稿よりも１段階大きな定型原稿との中間の領域（但し、上記ステップ２０８で推定した定型原稿がＡ３の場合は、Ａ３の定型原稿の大きさよりも広く、光照射装置３４の光の最大照射可能領域よりも狭い領域）を適用しており、例えば、上記ステップ２０８で推定した定型原稿がＢ５であった場合、Ｂ５とＡ４との中間の領域が光照射装置３４による光の照射領域となる。なお、これに限らず、例えば、上記ステップ２０８で推定した定型原稿よりも１段階大きな定型原稿の領域（但し、上記ステップ２０８で推定した定型原稿がＡ３の場合は、光照射装置３４の光の最大照射可能領域）を上記の「一回り大きな領域」として適用してもよい。このように、本ステップ２１２では、上記ステップ２０８で推定した定型原稿の大きさよりも広く、光照射装置３４の光の最大照射可能領域よりも狭い領域へ光が照射されるように光照射装置３４を制御すればよい。
【００５１】
ステップ２１４では、光照射装置３４に対して、プラテンガラス２２に対して、ユーザ・インタフェース２４を介して指定された記録用紙Ｐの大きさに対応する領域にのみ光を照射させる。
【００５２】
次のステップ２１６では、画像読取部１２に対して、プラテンガラス２２に置かれている原稿３１に記録されている画像の読み取りを開始させ、次のステップ２１８にて、画像読取部１２による画像の読み取りの終了待ちを行う。
【００５３】
次のステップ２２０では、上記ステップ２１２又は上記ステップ２１４にて点灯されたＬＥＤ３４ａを消灯するように光照射装置３４を制御し、次のステップ２２２にて、画像記録エンジン部１２０に対して、上記ステップ２１６の処理で画像読取部１２によって読み取られた画像を記録用紙Ｐに記録させた後、本画像読取記録処理プログラムを終了する。
【００５４】
以上、本発明を上記実施形態を用いて説明したが、本発明の技術的範囲は上記実施形態に記載の範囲には限定されない。発明の主旨を逸脱しない範囲で上記実施形態に多様な変更または改良を加えてもよく、当該変更または改良を加えた形態も本発明の技術的範囲に含まれる。
【００５５】
また、上記実施形態は、特許請求の範囲に記載された発明を限定するものではなく、また、上記実施形態の中で説明されている特徴の組み合わせの全てが発明の解決手段に必須であるとは限らない。上記実施形態には種々の段階の発明が含まれており、開示される複数の構成要件における状況に応じた組み合わせにより種々の発明が抽出される。上記実施形態に示される全構成要件から幾つかの構成要件が削除されても、効果が得られる限りにおいて、この幾つかの構成要件が削除された構成が発明として抽出される。
【００５６】
例えば、上記実施形態では、光照射装置３４を複数のＬＥＤ３４ａで構成したが、これに限らず、例えば、光照射装置３４を複数の蛍光ランプで構成してもよい。このように光照射装置３４は、主走査方向に並設された互いに独立して点灯可能な複数の光源で構成されていればよい。
【００５７】
また、上記実施形態では、プラテンガラス２２が原稿搬送装置１６によって遮蔽された状態でプラテンガラス２２に置かれた原稿３１に記録されている画像を読み取るにあたって、推定された定型原稿よりも一回り大きな領域に対して光を照射したが、これに限らず、プラテンガラス２２が露出した状態でプラテンガラス２２に置かれた原稿３１に記録されている画像を読み取る際にも、推定された定型原稿よりも一回り大きな領域に対して光を照射してもよく、この場合、本構成を有さない場合（一例として、画像読取時に光照射装置３４に備えられている全ての光源を点灯する場合）に比べ、予め定められた大きさの原稿以外の原稿（一例として、推定された定型原稿よりも大きな原稿）に記録されている画像の読み取り残し（特に、原稿３１の端部の読み取り残し）の発生が抑制されると共に、光照射装置３４からの照射光がユーザの目に入ってしまうことでユーザに与える不快感が軽減される。
【００５８】
また、上記実施形態では、ＣＰＵ７０が画像記録される予定の記録用紙Ｐの大きさを示す大きさ情報を取得している場合に、取得した大きさ情報により示される記録用紙Ｐの大きさに応じて光の照射領域を制御し、ＣＰＵ７０が画像記録される予定の記録用紙Ｐの大きさを示す大きさ情報を取得していない場合に、プラテンガラス２２に置かれた原稿３１の大きさを推定し、推定した結果に応じて光の照射領域を制御したが、これに限らず、例えば、指定された記録用紙Ｐの大きさに応じた照射領域の制御よりもプラテンガラス２２に置かれた原稿３１の大きさを推定し、推定した結果に応じた照射領域の制御を優先することを示す優先情報をユーザ・インタフェース２４によって受け付けた場合に、ＣＰＵ７０が大きさ情報を取得しているか否かに拘らず、プラテンガラス２２に置かれた原稿３１の大きさを推定し、推定した結果に応じて光の照射領域を制御するようにしてもよい。
【００５９】
また、上記実施形態では、等倍複写を行う際の画像読取記録処理の実行例を挙げたが、これに限らず、拡大複写を行う場合にも同様の効果が得られる。このように、縮小複写以外の複写を行う場合であれば、上記画像読取記録処理を実行することにより得られる効果と同様の効果が得られる。
【００６０】
また、上記実施形態では、副走査方向に移動する光照射装置３４によりプラテンガラス２２の指定された領域に光を照射したが、これに限らず、プラテンガラス２２の全領域を覆う光源ユニットによりプラテンガラス２２の指定された領域に光を照射してもよい。この場合、光源ユニットは、各々独立して点灯可能な複数の光源で構成される。
【００６１】
その他、上記実施形態で説明した画像読取記録装置１０の構成（図１〜図４参照。）の構成は一例であり、主旨を逸脱しない範囲内において状況に応じて変更してもよいことは言うまでもない。
【００６２】
また、上記実施形態では、画像読取部１２のプラテンガラス１２を遮蔽する遮蔽部材として原稿搬送装置１６を適用したが、略白色の面でプラテンガラス１２を遮蔽する遮蔽部材であれば原稿搬送機能を有していないものであってもよいことは言うまでもない。
【００６３】
また、上記実施形態で説明した画像読取記録処理プログラムの処理の流れ（図５参照。）も一例であり、主旨を逸脱しない範囲内において不要なステップを削除したり、新たなステップを追加したり、処理順序を入れ替えたりしてもよいことは言うまでもない。
【符号の説明】
【００６４】
１０  画像読取記録装置
１２  画像読取部（読取手段）
１６  原稿搬送装置（遮蔽部材）
２２  プラテンガラス（原稿台）
２４  ユーザ・インタフェース（受付手段）
３１  原稿
３４  光照射装置（照射手段）
３４ａ  ＬＥＤ（光源）
７０  ＣＰＵ（推定手段、取得手段、制御手段）
【図１】
2010187190.tif 000003
【図２】
2010187190.tif 000004
【図３】
2010187190.tif 000005
【図４】
2010187190.tif 000006
【図５】
2010187190.tif 000007